【手続補正書】
【提出日】平成25年11月19日(2013.11.19)
【手続補正１】
【補正対象書類名】特許請求の範囲
【補正対象項目名】全文
【補正方法】変更
【補正の内容】
【特許請求の範囲】
【請求項１】
筐体の内部に、過電流引き外し部を収容する過電流引き外し部収容室と、開閉機構部を収容する開閉機構部収容室と、アークバリアを収容するアークバリア収容室と、接点部を収容する接点部収容室とが形成され、
上記過電流引き外し部収容室は、負荷側端子部と上記開閉機構部収容室との間に位置し、
上記開閉機構部収容室は、上記過電流引き外し部収容室と電源側端子部との間に位置し、
上記アークバリア収容室は、電源側端子部と負荷側端子部との間に位置すると共に上記過電流引き外し部収容室および上記開閉機構部収容室の下方に位置し、
上記接点部収容室は、上記アークバリア収容室内の電源側端子部側の端部に位置し、
上記アークバリア収容室内のアークバリアの、上記開閉機構部の可動子の先端部の可動接触子アームにおける可動接点装着面に対向する部分に、可動接触子アームが固定接点側に凹形状となる可動接触子アーム当接回避凹部が設けられている回路遮断器。
【請求項２】
筐体の内部に、過電流引き外し部を収容する過電流引き外し部収容室と、開閉機構部を収容する開閉機構部収容室と、アークバリアを収容するアークバリア収容室と、接点部を収容する接点部収容室とが形成され、
上記過電流引き外し部収容室は、負荷側端子部と上記開閉機構部収容室との間に位置し、
上記開閉機構部収容室は、上記過電流引き外し部収容室と電源側端子部との間に位置し、
上記アークバリア収容室は、電源側端子部と負荷側端子部との間に位置すると共に上記過電流引き外し部収容室および上記開閉機構部収容室の下方に位置し、
上記接点部収容室は、上記アークバリア収容室内の電源側端子部側の端部に位置し、
上記筐体に、上記開閉機構部の可動子を案内する可動子案内凸部が一体に形成され、
上記可動子案内凸部は、可動子案内面の上記可動子の側の面に傾斜面が形成されている回路遮断器。
【請求項３】
筐体の内部に、過電流引き外し部を収容する過電流引き外し部収容室と、開閉機構部を収容する開閉機構部収容室と、アークバリアを収容するアークバリア収容室と、接点部を収容する接点部収容室とが形成され、
上記過電流引き外し部収容室は、負荷側端子部と上記開閉機構部収容室との間に位置し、
上記開閉機構部収容室は、上記過電流引き外し部収容室と電源側端子部との間に位置し、
上記アークバリア収容室は、電源側端子部と負荷側端子部との間に位置すると共に上記過電流引き外し部収容室および上記開閉機構部収容室の下方に位置し、
上記接点部収容室は、上記アークバリア収容室内の電源側端子部側の端部に位置し、
上記アークバリア収容室と上記過電流引き外し部収容室との間に位置して消弧室区画壁が設けられ、
上記開閉機構部の可動子の、トリップ状態において消弧室区画壁に対向する端面に、上記消弧室区画壁側へ突出している突出部が設けられている
回路遮断器。 
【手続補正２】
【補正対象書類名】明細書
【補正対象項目名】０００６
【補正方法】変更
【補正の内容】
【０００６】
この発明に係る回路遮断器は、筐体の内部に、過電流引き外し部を収容する過電流引き外し部収容室と、開閉機構部を収容する開閉機構部収容室と、アークバリアを収容するアークバリア収容室と、接点部を収容する接点部収容室とが形成され、
上記過電流引き外し部収容室は、負荷側端子部と上記開閉機構部収容室との間に位置し、
上記開閉機構部収容室は、上記過電流引き外し部収容室と電源側端子部との間に位置し、
上記アークバリア収容室は、電源側端子部と負荷側端子部との間に位置すると共に上記過電流引き外し部収容室および上記開閉機構部収容室の下方に位置し、
上記接点部収容室は、上記アークバリア収容室内の電源側端子部側の端部に位置し、
上記アークバリア収容室内のアークバリアの、上記開閉機構部の可動子の先端部の可動接触子アームにおける可動接点装着面に対向する部分に、可動接触子アームが固定接点側に凹形状となる可動接触子アーム当接回避凹部が設けられているものである。
【手続補正３】
【補正対象書類名】明細書
【補正対象項目名】０００７
【補正方法】変更
【補正の内容】
【０００７】
この発明は、筐体の内部に、過電流引き外し部を収容する過電流引き外し部収容室と、開閉機構部を収容する開閉機構部収容室と、アークバリアを収容するアークバリア収容室と、接点部を収容する接点部収容室とが形成され、上記過電流引き外し部収容室は、負荷側端子部と上記開閉機構部収容室との間に位置し、上記開閉機構部収容室は、上記過電流引き外し部収容室と電源側端子部との間に位置し、上記アークバリア収容室は、電源側端子部と負荷側端子部との間に位置すると共に上記過電流引き外し部収容室および上記開閉機構部収容室の下方に位置し、上記接点部収容室は、上記アークバリア収容室内の電源側端子部側の端部に位置し、上記アークバリア収容室内のアークバリアの、上記開閉機構部の可動子の先端部の可動接触子アームにおける可動接点装着面に対向する部分に、可動接触子アームが固定接点側に凹形状となる可動接触子アーム当接回避凹部が設けられているので、回路遮断器のコンパクト化を図った場合に、接点の安定した接触を確保することができる効果がある。 
【手続補正４】
【補正対象書類名】明細書
【補正対象項目名】００１０
【補正方法】変更
【補正の内容】
【００１０】
図１に例示の回路遮断器は、図示のように、内部に過電流引き外し部、開閉機構部、接点部、アークバリア等の回路遮断器の中枢構造部が収容されている絶縁物製の筐体中央ケース部１Ａと、この筐体中央ケース部１Ａの両側面を塞ぐ筐体側板部１Ｂ，１Ｃとにより筐体１が構成され、外部から人為的に接点部を開閉するハンドル３の操作端が筐体中央ケース部１Ａの上面に露出した構造であり、筐体中央ケース部１Ａの左右の端部に電源側端子部６および負荷側端子部７が設けられている。 
【手続補正５】
【補正対象書類名】明細書
【補正対象項目名】００１１
【補正方法】変更
【補正の内容】
【００１１】
図２に例示のように、筐体中央ケース部１Ａ内には、過電流引き外し部収容室1ACRCと、開閉機構部収容室1AOMCと、接点部収容室1A2CCと、アークバリア収容室1AABCとが形成されている。
過電流引き外し部収容室1ACRCは、負荷側端子部７と開閉機構部収容室1AOMCとの間に位置している。
開閉機構部収容室1AOMCは、過電流引き外し部収容室1ACRCと電源側端子部６との間に位置している。
アークバリア収容室1AABCは、電源側端子部６と負荷側端子部７との間に位置すると共に過電流引き外し部収容室1ACRCおよび開閉機構部収容室1AOMCの下方に位置して位置している。
接点部収容室1A2CCは、アークバリア収容室1AABC内の電源側端子部６側の端部に位置すると共に開閉機構部収容室1AOMCの下方に位置して形成されている。
【手続補正６】
【補正対象書類名】明細書
【補正対象項目名】００１５
【補正方法】変更
【補正の内容】
【００１５】
アークバリア収容室1AABC内には、可動接点２ａｃ、可動側アークランナ２ａａ、固定接点２ｂｃ、固定側アークランナ２ｂａ等が収容されている。遮断時に固定接点２ｂｃと可動接点２ａｃとの間に発生したアークは、固定側アークランナ２ｂａと可動側アークランナ２ａａとの間に移行し、アークバリア１２内で消弧する。アークにより発生したガスは排気口２０から筐体１外へ排出される。
【手続補正７】
【補正対象書類名】明細書
【補正対象項目名】００２３
【補正方法】変更
【補正の内容】
【００２３】
本実施の形態１の第１の技術的特徴は、上述のように、筐体内に収納された開閉可能な接点部と、接点部に連結され、筐体から外部に突出したハンドルとハンドルの操作により接点部を開閉させる開閉機構部と、過電流に応動して上記開閉機構部を動作させ、上記開閉部を遮断する過電流引き外し部と、筐体底部にはハンドルと連動して接点の開閉操作を行う可動子の駆動力となるバネのフック回動のための湾曲部を備えた、可動子の案内部となる凸部と、遮断時のアークガスを排気孔へ導き、絶縁劣化を防止するアークバリアを備えた消弧室を有する回路遮断器において、可動子の接点装着面に対向するアークバリアの固定接点側に可動子の接点装着面より大きい凹形状部を設けた点にある。
また、観点を変えると、本実施の形態１の技術的特徴は、上述のように、筐体内に、過電流引き外し部収容室と、開閉機構部収容室と、アークバリア収容室と、接点部収容室とが形成され、上記過電流引き外し部収容室は負荷側端子部と上記開閉機構部収容室との間に位置し、上記開閉機構部収容室は上記過電流引き外し部収容室と電源側端子部との間に位置し、上記アークバリア収容室は電源側端子部と負荷側端子部との間に位置すると共に上記過電流引き外し部収容室および上記開閉機構部収容室の下方に位置し、上記接点部収容室は上記アークバリア収容室内の電源側端子部側の端部に位置し、上記アークバリア収容室内のアークバリアの、上記開閉機構部の可動子の先端部の可動接触子アームにおける可動接点装着面に対向する部分に、可動接触子アームが固定接点側に凹形状となる可動接触子アーム当接回避凹部が設けられている点にある。
【手続補正８】
【補正対象書類名】明細書
【補正対象項目名】００２４
【補正方法】変更
【補正の内容】
【００２４】
本実施の形態１の第２の技術的特徴は、上述のように、筐体内に収納された開閉可能な接点部と、この接点部に連結され、前記筐体から外部に突出したハンドルと、このハンドルの操作により前記接点部を開閉させる開閉機構部と、過電流に応動して前記開閉機構部を動作させ、前記開閉部を遮断する過電流引き外し部と、前記筐体の底部には前記ハンドルと連動して前記接点部の開閉操作を行う可動子の駆動力となるバネのフック回動のための湾曲部を備え、前記可動子の案内部となる凸部と、遮断時のアークガスを排気孔へ導き、絶縁劣化を防止するアークバリアを備えた消弧室を有する回路遮断器において、前記可動子の案内部となる凸部に前記筐体の底部から可動子の開極方向へ傾斜を設けた点にある。
また、観点を変えると、本実施の形態１の技術的特徴は、上述のように、筐体内に、過電流引き外し部収容室と、開閉機構部収容室と、アークバリア収容室と、接点部収容室とが形成され、上記過電流引き外し部収容室は負荷側端子部と上記開閉機構部収容室との間に位置し、上記開閉機構部収容室は上記過電流引き外し部収容室と電源側端子部との間に位置し、上記アークバリア収容室は電源側端子部と負荷側端子部との間に位置すると共に上記過電流引き外し部収容室および上記開閉機構部収容室の下方に位置し、上記接点部収容室は上記アークバリア収容室内の電源側端子部側の端部に位置し、上記筐体に、上記開閉機構部の可動子を案内する可動子案内凸部が一体に形成され、上記可動子案内凸部は、可動子案内面の上記可動子の側の面に傾斜面が形成されている点にある。 
【手続補正９】
【補正対象書類名】明細書
【補正対象項目名】００２６
【補正方法】変更
【補正の内容】
【００２６】
図７〜図９に例示のように、アークバリア１２内に消弧室１９を、過電流引き外し部収容室1ACRCから区画して形成するため、アークバリア１２と過電流引き外し部収容室1ACRCとの間に位置して筐体中央ケース部１Ａに消弧室区画壁２１が一体に設けられている。 
【手続補正１０】
【補正対象書類名】明細書
【補正対象項目名】００３４
【補正方法】変更
【補正の内容】
【００３４】
上述の実施の形態２および実施の形態３の技術的特徴は、筐体内に、過電流引き外し部収容室と、開閉機構部収容室と、アークバリア収容室と、接点部収容室とが形成され、上記過電流引き外し部収容室は負荷側端子部と上記開閉機構部収容室との間に位置し、上記開閉機構部収容室は上記過電流引き外し部収容室と電源側端子部との間に位置し、上記アークバリア収容室は電源側端子部と負荷側端子部との間に位置すると共に上記過電流引き外し部収容室および上記開閉機構部収容室の下方に位置し、上記接点部収容室は上記アークバリア収容室内の電源側端子部側の端部に位置し、上記アークバリア収容室と上記過電流引き外し部収容室との間に位置して上記に消弧室区画壁が設けられ、上記開閉機構部の可動子の、トリップ状態において消弧室区画壁に対向する端面に、上記消弧室区画壁側へ突出している突出部が設けられている点にある。 
【手続補正１１】
【補正対象書類名】明細書
【補正対象項目名】００３６
【補正方法】変更
【補正の内容】
【００３６】
１    筐体、  ２    接点部、  ２ａ    可動接触子アーム、  ２ａｃ    可動接点、
２ｂｃ    固定接点、
３    ハンドル、  ４    開閉機構部、
５    過電流引き外し部、  ６    電源側端子、  ７    負荷側端子、
８    可動子、  ８ａ    可動子の端面、
９    可動子案内凸部、  ９ａ    湾曲部、
９ｂ    可動子の開極側直線部２３ｄと凸部の交点、  １０    傾斜面、
１１    可動接点装着面、  １２    アークバリア、
１３    可動接触子アーム当接回避凹部、  １４    筐体の底部、
１５    バネ、  １６    バイメタル、  １７    ヨーク、
１８    レバー、  １９    消弧室、  ２０    排気孔、
２１    消弧室区画壁、  ２２    ガス流出路、
２３    可動子（実施の形態２）、  ２３ａ    可動子の段形状、
２３ｂ    可動子の突出部、  ２３ｂｅ    可動子の突出部の端面、
２３ｃ    可動子の切り欠き部、  ２３ｄ    消弧室区画壁２１に対向する端面、
２４    可動子（実施の形態３）、  ２４ａ    角度、
２５    可動片、  1ACRC    過電流引き外し部収容室、
1AOMC    開閉機構部収容室、  1AABC    アークバリア収容室、
1A2CC    接点部収容室。